(57)【要約】【課題】一つの側面として、水鳥に簡単に発信器を取り付けることができるようにすることを目的とする。【解決手段】発信器取付装置１０は、発信ユニット１２と、紐１４と、接続部材１６とを備えている。発信ユニット１２は、環状を成した状態で水に浮くと共に水鳥の首に装着される首輪１８と、首輪１８に取り付けられた発信器２０とを有している。紐１４の一端は、固定対象物３２に固定され、紐１４の他端は、接続部材１６を介して発信ユニット１２と接続される。接続部材１６は、紐１４よりも低い引張強度を有している。【選択図】図１
2014030394.tif 000002
【特許請求の範囲】
【請求項１】
環状を成した状態で水に浮くと共に水鳥の首に装着される首輪と、前記首輪に取り付けられた発信器とを有する発信ユニットと、
一端が固定対象物に固定される紐と、
前記紐の他端と前記発信ユニットとを接続すると共に、前記紐よりも低い引張強度を有する接続部材と、
を備えた発信器取付装置。
【請求項２】
前記首輪は、水面と平行に浮く、
請求項１に記載の発信器取付装置。
【請求項３】
前記首輪は、水面に対して垂直に浮く、
請求項１に記載の発信器取付装置。
【請求項４】
前記首輪は、弾性を有し環状を成すワイヤと、前記ワイヤに取り付けられた浮力材とを有している、
請求項１〜請求項３のいずれか一項に記載の発信器取付装置。
【請求項５】
前記ワイヤの一端には、輪部が形成され、
前記ワイヤの他端は、前記輪部に挿通されて前記発信器に固定され、
前記浮力材は、断面Ｃ字状に形成されると共に、前記ワイヤに沿って延びるスリットを有し、前記ワイヤにおける一端と他端との間の部分を被覆している、
請求項４に記載の発信器取付装置。
【請求項６】
前記ワイヤの一端は、前記発信器に固定され、
前記ワイヤの他端は、着脱機構により前記発信器に固定され、
前記着脱機構を駆動させるアクチュエータを備えた、
請求項４に記載の発信器取付装置。
【請求項７】
前記発信器は、信号を発信する発信器本体と、前記発信器本体に取り付けられた浮力材とを有している、
請求項１〜請求項６のいずれか一項に記載の発信器取付装置。
【請求項８】
前記発信器本体は、バッテリと、発信回路と、センサを有し、
前記発信回路には、前記センサにて検出された加速度又は水圧の検出値が予め定められた閾値を超えた場合に前記バッテリから電力が供給される、
請求項１〜請求項７のいずれか一項に記載の発信器取付装置。
【請求項９】
水中において前記首輪と該首輪の中心軸方向に対向して配置される疑似餌を備えた、
請求項１〜請求項８のいずれか一項に記載の発信器取付装置。
【請求項１０】
前記発信ユニットには、草を用いた偽装が施されている、
請求項１〜請求項９のいずれか一項に記載の発信器取付装置。
【請求項１１】
前記発信器取付装置を複数と、
複数の前記発信器取付装置における各々の前記発信器から発信された信号を受信する受信センタと、
を備えた水鳥情報収集システム。
【発明の詳細な説明】
【技術分野】
【０００１】
本願の開示する技術は、発信器取付装置及び水鳥情報収集システムに関する。
【背景技術】
【０００２】
従来、水鳥に発信器を取り付け、この発信器から発信された信号に基づいて、水鳥の生態を調査することが行われている。この調査では、水鳥を捕獲してから水鳥に発信器を取り付ける方法が採用されている。
【先行技術文献】
【特許文献】
【０００３】
【特許文献１】特開２００２−１８１９２７号公報
【特許文献２】特開２００９−２９６９５５号公報
【特許文献３】特開平１０−５６９４０号公報
【特許文献４】特開平６−２４５６８２号公報
【発明の概要】
【発明が解決しようとする課題】
【０００４】
しかしながら、水鳥を捕獲してから水鳥に発信器を取り付ける方法では、多くの人手が必要である。従って、水鳥に簡単に発信器を取り付ける方法が求められている。
【０００５】
そこで、本願の開示する技術は、一つの側面として、水鳥に簡単に発信器を取り付けることができるようにすることを目的とする。
【課題を解決するための手段】
【０００６】
上記目的を達成するために、本願の開示する技術によれば、発信ユニットと、紐と、接続部材とを備えた発信器取付装置が提供される。発信ユニットは、環状を成した状態で水に浮くと共に水鳥の首に装着される首輪と、首輪に取り付けられた発信器とを有している。紐の一端は、固定対象物に固定され、紐の他端は、接続部材を介して発信ユニットと接続される。接続部材は、紐よりも低い引張強度を有している。
【発明の効果】
【０００７】
本願の開示する技術によれば、水鳥に簡単に発信器を取り付けることができる。
【図面の簡単な説明】
【０００８】
【図１】第一実施形態に係る発信器取付装置の側面図である。
【図２】図１の２−２線断面図である。
【図３】図１の３−３線断面図である。
【図４】第一実施形態において水鳥に発信器が取り付けられる様子を説明する図である。
【図５】第二実施形態に係る発信器取付装置の側面図である。
【図６】第二実施形態において水鳥に発信器が取り付けられる様子を説明する図である。
【図７】第三実施形態に係る発信器取付装置の側面図である。
【図８】図７の８−８線断面図である。
【図９】図７の首輪が閉まった状態を示す図である。
【図１０】第四実施形態に係る発信器取付装置の側面図である。
【図１１】発信器本体の内部構成を示すブロック図である。
【図１２】第四実施形態において発信器本体が作動する様子を説明する第一説明図である。
【図１３】第四実施形態において発信器本体が作動する様子を説明する第二説明図である。
【図１４】第五実施形態に係る発信器取付装置の側面図である。
【図１５】第六実施形態に係る発信器取付装置の側面図である。
【図１６】第七実施形態に係る発信器取付装置の要部拡大図である。
【図１７】発信器取付装置の動作を説明する図である。
【図１８】第七実施形態において水鳥から発信器が取り外される様子を説明する図である。
【図１９】水鳥情報収集システムを示す図である。
【発明を実施するための形態】
【０００９】
［第一実施形態］
はじめに、本願の開示する技術の第一実施形態を説明する。
【００１０】
図１に示される第一実施形態に係る発信器取付装置１０は、例えば川などに生息する水鳥の首に発信器２０を取り付けるためのものであり、発信ユニット１２と、紐１４と、接続部材１６とを備えている。
【００１１】
発信ユニット１２は、首輪１８と発信器２０とを一体に有している。首輪１８は、水鳥の首に装着されるのに適した大きさを有しており、円環状を成すワイヤ２２と、ワイヤ２２に取り付けられた浮力材２４とを有している。ワイヤ２２は、例えば金属や樹脂等の弾性を有する材料で形成されている。浮力材２４は、図２に示されるように、チューブ状に形成されており、ワイヤ２２を被覆している。この浮力材２４は、図１に示されるように、ワイヤ２２の全長に亘って設けられている。
【００１２】
そして、この首輪１８は、浮力材２４の浮力により水面と平行に浮くようになっている。また、この首輪１８は、ワイヤ２２の弾性により円環状を成した状態で水に浮くようになっている。
【００１３】
発信器２０は、信号を発信する発信器本体２６と、この発信器本体２６に取り付けられた浮力材２８とを有している。発信器本体２６は、電子機器により形成されており、例えば基地局から送信された指令信号に応じて位置情報等の信号を発信する。浮力材２８は、図３に示されるように、発信器本体２６の全体を被覆している。
【００１４】
そして、この発信器２０は、浮力材２８の浮力により水に浮くようになっている。また、この発信器２０は、図１に示されるように、後述する紐１４と反対側において首輪１８に一体に取り付けられている。なお、この首輪１８及び発信器２０を有する発信ユニット１２の全体は、例えば、川底の色と同系色とされていると好適である。
【００１５】
紐１４は、固定対象物３２と首輪１８を接続するためのものであり、固定対象物３２と発信ユニット１２とを十分に離しておくことができるように、十分な長さが確保されている。紐１４の一端には、輪部３０が形成されており、この輪部３０は、棒状の固定対象物３２に引っ掛けられる。そして、輪部３０が固定対象物３２に引っ掛けられることにより、紐１４の一端が固定対象物３２に固定される。なお、固定対象物３２は、例えば、川岸や、川に浮かぶ船等に設置される。
【００１６】
接続部材１６は、紐状に形成されており、紐１４の他端と発信ユニット１２とを接続している。この接続部材１６は、紐１４よりも低い引張強度を有している。従って、発信ユニット１２が水鳥に装着され、この水鳥により発信ユニット１２が引っ張られた場合には、接続部材１６が切断され、発信ユニット１２が紐１４から分離される。
【００１７】
そして、この第一実施形態においては、次のようにして、水鳥の一例である川鵜に発信器２０が取り付けられる。
【００１８】
すなわち、先ず、輪部３０が固定対象物３２に引っ掛けられることにより、紐１４の一端が固定対象物３２に固定される。また、図４の左図に示されるように、発信ユニット１２が川の水面３４に浮かべられる。このとき、首輪１８は、環状を成した状態で水面３４と平行に浮かべられる。
【００１９】
一方、川鵜３６は、魚がいる川に着水し、潜水して魚を捕まえる。このとき、川鵜３６は、頭から先に潜水する。従って、図４の中図から下図に示されるように、川を泳ぐ川鵜３６が発信ユニット１２に近づいてきて、この川鵜３６が頭から先に潜水しようとすると、首輪１８が川鵜３６の首に装着される。また、川鵜３６が潜水することにより、上述の首輪１８と紐１４との間に引張力が作用すると、接続部材１６（いずれも図１参照）が切断され、発信ユニット１２が紐１４から分離される。以上のようにして、川鵜３６に発信器２０が取り付けられる。
【００２０】
続いて、第一実施形態の作用及び効果を説明する。
【００２１】
この第一実施形態によれば、首輪１８は、環状を成した状態で水に浮かべられる。そして、川を泳ぐ川鵜３６が発信ユニット１２に近づき、この川鵜３６が魚を捕獲するために水中に潜ると、川鵜３６の首に首輪１８が装着され、この川鵜３６に発信器２０が自動的に取り付けられる。従って、多くの人手が不要であり、川鵜３６に簡単に発信器２０を取り付けることができる。
【００２２】
また、紐１４の一端は、固定対象物３２に固定されるので、水に浮かべた発信ユニット１２が流されてしまうことを抑制することができる。
【００２３】
また、紐１４の他端と発信ユニット１２とを接続する接続部材１６は、紐１４よりも低い引張強度を有している。従って、首輪１８が川鵜３６の首に装着されて首輪１８と紐１４との間に引張力が作用した場合には、接続部材１６が切断されることで、発信ユニット１２を紐１４から分離させることができる。
【００２４】
また、首輪１８は、水面３４と平行に浮くので、この川鵜３６が魚を捕獲するために水中に潜るタイミングで、首輪１８を川鵜３６の首に適切に装着させることができる。
【００２５】
また、首輪１８は、弾性を有し環状を成すワイヤ２２を有している。従って、このワイヤ２２の弾性により首輪１８を水面３４において環状に保つことができる。また、この首輪１８は、ワイヤ２２に取り付けられた浮力材２４を有している。この浮力材２４は、ワイヤ２２の全長に亘って設けられている。従って、首輪１８を水面３４と平行に浮かばせることができる。
【００２６】
また、発信器２０は、信号を発信する発信器本体２６と、この発信器本体２６に取り付けられた浮力材２８とを有している。そして、この発信器２０は、浮力材２８の浮力により水に浮くようになっている。従って、発信器本体２６に水圧が掛かることを抑制することができ、発信器本体２６の内部に水が浸入することを抑制することができる。
【００２７】
また、発信ユニット１２は、水に浮くので、川鵜３６から発信ユニット１２が脱落したり取り外されたりした場合でも、発信ユニット１２を容易に回収することができる。
【００２８】
また、川鵜３６は、大型の鳥であるので、首輪１８を適度な大きさにしておくことにより、首輪１８に小型の鳥の首が引っ掛からないようにすることができる。さらに、川の水深が５０ｃｍ以上のところに発信ユニット１２を設置すれば、川の浅いところに飛来する大型の鳥であるサギが首輪１８にかからないようにすることもできる。
【００２９】
なお、この第一実施形態において、首輪１８は、ワイヤ２２の弾性により円環状を成していたが、環状であれば他の形状（例えば、楕円状など）を成していても良い。
【００３０】
［第二実施形態］
次に、本願の開示する技術の第二実施形態を説明する。
【００３１】
図５に示される第二実施形態に係る発信器取付装置４０は、上述の第一実施形態に係る発信器取付装置１０に対し、次の如く構成が変更されている。
【００３２】
すなわち、接続部材１６は、発信ユニット１２のうちの発信器２０と接続されている。また、首輪１８の浮力材２４は、ワイヤ２２のうち発信器２０側の片側半分に円弧状に設けられている。そして、この首輪１８は、浮力材２４の浮力により水面３４に対して垂直に浮くようになっている。なお、発信器２０は、浮力材２４の長手方向中央部に位置されている。
【００３３】
そして、この第二実施形態においては、次のようにして、水鳥の一例である川鵜に発信器２０が取り付けられる。
【００３４】
すなわち、先ず、輪部３０が固定対象物３２に引っ掛けられることにより、紐１４の一端が固定対象物３２に固定される。また、図６の左図に示されるように、発信ユニット１２が川に浮かべられる。このとき、首輪１８は、環状を成した状態で水面３４に対して垂直に浮かべられる。
【００３５】
そして、図６の中図に示されるように、魚を捕獲するために水中を泳ぐ川鵜３６が発信ユニット１２に近づいて首を首輪１８の中に入れる。
【００３６】
また、この状態で、図６の右図に示されるように、川鵜３６が魚を捕獲するために水中を泳ぐと、首輪１８が川鵜３６の首に装着される。そして、上述の首輪１８と紐１４との間に引張力が作用すると、接続部材１６（いずれも図５参照）が切断され、発信ユニット１２が紐１４から分離される。このように、第二実施形態によっても、川鵜３６に簡単に発信器２０を取り付けることができる。
【００３７】
また、首輪１８は、水面３４に対して垂直に浮くので、川鵜３６が魚を捕獲するために水中を泳ぐタイミングで、首輪１８を川鵜３６の首に適切に装着させることができる。
【００３８】
［第三実施形態］
次に、本願の開示する技術の第三実施形態を説明する。
【００３９】
図７に示される第三実施形態に係る発信器取付装置５０は、上述の第一実施形態に係る発信器取付装置１０に対し、次の如く構成が変更されている。
【００４０】
すなわち、ワイヤ２２の一端２２Ａには、輪部５２が形成されている。一方、ワイヤ２２の他端２２Ｂは、輪部５２に挿通されて、発信器２０に固定されている。首輪１８は、ワイヤ２２の一端２２Ａに形成された輪部５２にワイヤ２２の他端２２Ｂが挿通されることにより環状を成している。浮力材２４は、図８に示されるように、断面Ｃ字状に形成されると共に、ワイヤ２２に沿って延びるスリット５４を有している。この浮力材２４は、図７に示されるように、ワイヤ２２における一端２２Ａと他端２２Ｂとの間の部分を被覆している、
【００４１】
そして、この第三実施形態においては、次のようにして、水鳥の一例である川鵜に発信器２０が取り付けられる。
【００４２】
すなわち、先ず、輪部３０が固定対象物３２に引っ掛けられることにより、紐１４の一端が固定対象物３２に固定される。また、発信ユニット１２が川の水面３４に浮かべられる。このとき、首輪１８は、環状を成した状態で水面３４と平行に浮かべられる（図４の左図参照）。
【００４３】
そして、川を泳ぐ川鵜３６が発信ユニット１２に近づいてきて、この川鵜３６が頭から先に潜水しようとすると、首輪１８が川鵜３６の首に装着される（図４の中図から右図参照）。また、このとき、図９に示されるように、発信器２０に対して首輪１８が川鵜によって引っ張られるため、輪部５２がワイヤ２２の他端２２Ｂから離間する方向（一端２２Ａ側）に移動する。そして、首輪１８が閉まり、この首輪１８が川鵜の首にしっかりと装着される。なお、輪部５２がワイヤ２２の他端２２Ｂから離間する方向に移動すると、この輪部５２とワイヤ２２の他端２２Ｂとの間の部分では、ワイヤ２２がスリット５４を通じて浮力材２４から外れた状態とされる。
【００４４】
そして、その後、上述の首輪１８と紐１４との間に引張力が作用すると、接続部材１６（いずれも図７参照）が切断され、発信ユニット１２が紐１４から分離される。このように、第三実施形態によっても、川鵜に簡単に発信器２０を取り付けることができる。
【００４５】
また、首輪１８は、ワイヤ２２の一端２２Ａに形成された輪部５２にワイヤ２２の他端２２Ｂを挿通することにより環状を成している。従って、この首輪１８が川鵜によって引っ張られたときには、この首輪１８が閉まるので、この首輪１８を川鵜の首にしっかりと装着することができる。
【００４６】
また、輪部５２は、ワイヤ２２の一端２２Ａから他端２２Ｂの間を自在に移動するので、首輪１８により川鵜の首を絞め過ぎてしまうことを抑制することができる。
【００４７】
なお、首輪１８は、環状を成した状態で水面と平行に浮かべられていたが、第二実施形態のような構成とされて、水面に対して垂直に浮かべられても良い。
【００４８】
［第四実施形態］
次に、本願の開示する技術の第四実施形態を説明する。
【００４９】
図１０に示される第四実施形態に係る発信器取付装置６０は、上述の第一実施形態に係る発信器取付装置１０に対し、次の如く構成が変更されている。
【００５０】
すなわち、図１１に示されるように、発信器本体２６は、バッテリ６２と、発信回路６４と、センサ６６と、リレー６８とを有している。発信回路６４は、リレー６８を介してバッテリ６２と接続されている。センサ６６は、一例として加速度センサとされており、バッテリ６２から電力の供給を受けている。このセンサ６６は、リレー６８と接続されている。
【００５１】
そして、この発信器本体２６は、次のように動作する。すなわち、図１２に示されるように、首に首輪１８が装着された川鵜３６は、魚を捕獲するために水中で加速する場合がある。この場合に、センサ６６にて検出された加速度の検出値が予め定められた閾値を超えると、センサ６６から図１１に示されるリレー６８に信号が出力され、リレー６８がスイッチオンとなる。また、リレー６８がスイッチオンとなると、このリレー６８を介してバッテリ６２から発信回路６４に電力が供給されて発信回路６４が作動する。そして、この発信回路６４から位置情報等の情報が発信される。
【００５２】
このように、第四実施形態によれば、センサ６６にて検出された加速度の検出値が予め定められた閾値を超えた場合にバッテリ６２から発信回路６４に電力が供給されるので、発信器本体２６における消費電力を抑えることができる。これにより、バッテリ６２の寿命、ひいては、発信ユニット１２を川鵜に取り付けた後における発信器２０の使用可能時間を延ばすことができる。
【００５３】
なお、センサ６６は、一例として、加速度センサとされていたが、水圧センサとされていても良い。そして、図１３に示されるように、川鵜３６が水中に潜ることでセンサ６６にて検出された水圧の検出値が予め定められた閾値を超えた場合に、バッテリ６２から発信回路６４（以上、図１１参照）に電力が供給されても良い。
【００５４】
また、この第四実施形態において、首輪１８は、第一実施形態のような構成とされて、環状を成した状態で水面と平行に浮かべられても良く、また、第二実施形態のような構成とされて、水面に対して垂直に浮かべられても良い。
【００５５】
また、この第四実施形態は、第三実施形態と組み合わされても良い。
【００５６】
［第五実施形態］
次に、本願の開示する技術の第五実施形態を説明する。
【００５７】
図１４に示される第四実施形態に係る発信器取付装置７０は、上述の第一実施形態に係る発信器取付装置１０に対し、次の如く構成が変更されている。
【００５８】
すなわち、この発信器取付装置７０は、プラスチック製の魚の模型である疑似餌７２を備えている。この疑似餌７２は、水中に沈むように、その比重が設定されている。また、この疑似餌７２は、紐７４を介して固定対象物３２に固定される。紐７４の一端には、輪部７６が形成されており、この輪部７６は、固定対象物３２に引っ掛けられる。紐７４の長さは、疑似餌７２が水中において首輪１８と該首輪１８の中心軸方向（矢印Ｃの方向）に対向して配置されるように設定されている。
【００５９】
この第四実施形態に係る発信器取付装置７０によれば、疑似餌７２が水中において首輪１８と該首輪１８の中心軸方向に対向して配置されるので、この疑似餌７２により川鵜を誘き寄せることができる。また、川鵜が疑似餌７２を目掛けて水中に潜ることにより、首輪１８を川鵜の首に円滑に装着させることができる。
【００６０】
なお、首輪１８は、環状を成した状態で水面と平行に浮かべられていたが、第二実施形態のような構成とされて、水面に対して垂直に浮かべられても良い。また、首輪１８が水面に対して垂直に浮かべられた状態において、疑似餌７２が水中において首輪１８と該首輪１８の中心軸方向（つまり、水面と平行な方向）に対向して配置されても良い。
【００６１】
また、疑似餌７２は、魚の形をしていたが、水鳥が好む餌の形であれば、その他でも良い。
【００６２】
また、この第五実施形態は、第三実施形態及び第四実施形態の少なくともいずれかと組み合わされても良い。
【００６３】
［第六実施形態］
次に、本願の開示する技術の第六実施形態を説明する。
【００６４】
図１５に示される第五実施形態に係る発信器取付装置８０は、上述の第一実施形態に係る発信器取付装置１０に対し、次の如く構成が変更されている。
【００６５】
すなわち、発信ユニット１２（首輪１８及び発信器２０）には、草を用いた偽装８２が施されている。この偽装８２は、一例として、プラスチック製とされている。この偽装８２は、好ましくは、首輪１８及び発信器２０が外部から視認されないように、この首輪１８及び発信器２０に万遍なく取り付けられる。
【００６６】
この第六実施形態に係る発信器取付装置８０によれば、発信ユニット１２には、草を用いた偽装８２が施されているので、発信ユニット１２の存在を川鵜に気付かれないようにすることができる。
【００６７】
また、川鵜の餌となる魚は、影に隠れる性質を有する。従って、本物の魚が偽装８２の真下に隠れる確率が増えるため、この魚を狙うことで、川鵜が首輪１８に首を突っ込む確率を上昇させることができる。これにより、より効率的に川鵜に発信器２０を取り付けることができる。
【００６８】
なお、首輪１８は、環状を成した状態で水面と平行に浮かべられていたが、第二実施形態のような構成とされて、水面に対して垂直に浮かべられても良い。そして、水面に対して垂直に浮かぶ首輪１８に対して偽装８２が施されていても良い。
【００６９】
また、偽装８２に用いられる草は、本物でも良い。
【００７０】
また、この第六実施形態は、第三乃至第五実施形態の少なくともいずれかと組み合わされても良い。
【００７１】
［第七実施形態］
次に、本願の開示する技術の第七実施形態を説明する。
【００７２】
図１６に示される第七実施形態に係る発信器取付装置９０は、上述の第一実施形態に係る発信器取付装置１０に対し、次の如く構成が変更されている。
【００７３】
すなわち、ワイヤ２２の一端には、輪部９２が形成されており、この輪部９２は、発信器本体２６に備えられた筐体９４の固定部９６に固定されている。また、ワイヤ２２の他端にも、輪部９８が形成されており、この輪部９８は、着脱機構１００により筐体９４に固定されている。
【００７４】
着脱機構１００は、図１７に示されるように、回動部材１０２と、バネ１０４，１０６と、可動部材１０８を有している。回動部材１０２は、回動軸１１０を介して筐体９４に固定されている。バネ１０４の一端は、筐体９４に固定されており、バネ１０４の他端は、回動部材１０２に形成された支持部１１２に固定されている。
【００７５】
可動部材１０８は、磁性を有する金属により形成されており、回動部材１０２の先端部に可動部材１０８の軸方向にスライド可能に取り付けられている。バネ１０６は、可動部材１０８の一端に形成された板状部１１４と回動部材１０２の先端部との間に介挿されている。可動部材１０８の先端部１０８Ａは、筐体９４から突出する突出部１１５の先端部に形成された凹部１１６と係合される。
【００７６】
また、回動部材１０２に形成された支持部１１２の先端部には、アクチュエータの一例である電磁石１１８が設けられている。この電磁石１１８は、可動部材１０８の一端に形成された板状部１１４と対向されている。
【００７７】
そして、この発信器取付装置９０では、電磁石１１８が作動していない状態では、図１７の上図に示されるように、バネ１０６の引張力により可動部材１０８が突出部１１５側に付勢され、可動部材１０８の先端部１０８Ａが凹部１１６と係合される。このとき、回動部材１０２と突出部１１５との間において、ワイヤ２２の他端に形成された輪部９８が可動部材１０８に引っ掛けられることにより、ワイヤ２２の他端が筐体９４に固定される。従って、この状態では、図１８の上図に示されるように、首輪１８が環状に維持されるので、川鵜３６の首に首輪１８が装着された状態に維持される。
【００７８】
一方、基地局から発信された首輪１８を外す旨の指令信号が発信器本体２６において受信されると、電磁石１１８が作動する。電磁石１１８が作動すると、この電磁石１１８により板状部１１４が磁気吸引され、可動部材１０８がバネ１０６の付勢力に抗して電磁石１１８側にスライドされる。
【００７９】
また、可動部材１０８が電磁石１１８側にスライドされると、可動部材１０８の先端部１０８Ａと凹部１１６との係合状態が解除される。また、図１７の下図に示されるように、バネ１０４の引張力により回動部材１０２が回動し、可動部材１０８の先端部１０８Ａが突出部１１５から離間する。そして、ワイヤ２２の他端に形成された輪部９８が可動部材１０８から外れ、図１７の中図に示されるように、川鵜３６の首から首輪１８が外れる。
【００８０】
また、このように川鵜３６の首から首輪１８が外れると、この首輪１８及び発信器２０を有する発信ユニット１２が地上に落下する。なお、発信ユニット１２が水面に落下した場合には、浮力材２４，２８（図１等参照）の浮力により発信ユニット１２が水面に浮いた状態となる。
【００８１】
このように、この第七実施形態に係る発信器取付装置９０によれば、川鵜３６の首に取り付けられた発信ユニット１２を遠隔操作により任意のタイミングで川鵜３６の首から取り外すことができる。
【００８２】
また、例えば、発信器２０から送信された位置情報に基づき、川鵜３６が川岸で休憩していることを確認してから、首輪１８を外す旨の指令信号を基地局から発信器２０に送信すれば、発信ユニット１２を回収しやすい川岸において取り外すことができる。
【００８３】
また、発信ユニット１２は、水に浮くので、川鵜３６から発信ユニット１２が取り外された場合でも、発信ユニット１２を容易に回収することができる。また、発信器２０は、浮力材２８を有しているので、発信ユニット１２が取り外されて地上に落下した場合でも、この浮力材２８が緩衝材の役目を果たすので、発信器２０の損傷を抑制することができる。
【００８４】
なお、この第七実施形態では、着脱機構１００を駆動させるために、電磁石１１８が用いられていたが、その他のアクチュエータが用いられても良い。
【００８５】
また、この第七実施形態においても、首輪１８は、環状を成した状態で水面と平行に浮かべられる以外に、第二実施形態のような構成とされて、水面に対して垂直に浮かべられても良い。また、この第七実施形態は、第三乃至第六実施形態の少なくともいずれかと組み合わされても良い。
【００８６】
次に、図１９を参照しながら、本願の開示する技術の一実施形態に係る水鳥情報収集システム１２０について説明する。
【００８７】
この水鳥情報収集システム１２０は、上述の第一乃至第七実施形態のうちいずれかに係る発信器取付装置を複数と、この複数の発信器取付装置における各々の発信器２０から発信された信号を複数の基地局１２２を介して受信する受信センタ１２４とを備えている。
【００８８】
この水鳥情報収集システム１２０によれば、受信センタ１２４において受信された情報に基づいて、川鵜３６の群れの動きや位置などの生息状況を解析することで、これらの生息状況をリアルタイムに取得することができる。これにより、川の魚に対する防除対策等を適切に実行することができる。
【００８９】
なお、上述の各実施形態において、発信器取付装置が対象とする水鳥は、川鵜とされていたが、川鵜以外の水鳥（例えば、鷺、白鳥、鴨等）でも良い。
【００９０】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００９１】
なお、上述の本願の開示する技術の一態様に関し、更に以下の付記を開示する。
【００９２】
（付記１）
環状を成した状態で水に浮くと共に水鳥の首に装着される首輪と、前記首輪に取り付けられた発信器とを有する発信ユニットと、
一端が固定対象物に固定される紐と、
前記紐の他端と前記発信ユニットとを接続すると共に、前記紐よりも低い引張強度を有する接続部材と、
を備えた発信器取付装置。
（付記２）
前記首輪は、水面と平行に浮く、
付記１に記載の発信器取付装置。
（付記３）
前記首輪は、水面に対して垂直に浮く、
付記１に記載の発信器取付装置。
（付記４）
前記首輪は、弾性を有し環状を成すワイヤと、前記ワイヤに取り付けられた浮力材とを有している、
付記１〜付記３のいずれか一項に記載の発信器取付装置。
（付記５）
前記ワイヤの一端には、輪部が形成され、
前記ワイヤの他端は、前記輪部に挿通されて前記発信器に固定され、
前記浮力材は、断面Ｃ字状に形成されると共に、前記ワイヤに沿って延びるスリットを有し、前記ワイヤにおける一端と他端との間の部分を被覆している、
付記４に記載の発信器取付装置。
（付記６）
前記ワイヤの一端は、前記発信器に固定され、
前記ワイヤの他端は、着脱機構により前記発信器に固定され、
前記着脱機構を駆動させるアクチュエータを備えた、
付記４に記載の発信器取付装置。
（付記７）
前記発信器は、信号を発信する発信器本体と、前記発信器本体に取り付けられた浮力材とを有している、
付記１〜付記６のいずれか一項に記載の発信器取付装置。
（付記８）
前記発信器本体は、バッテリと、発信回路と、センサを有し、
前記発信回路には、前記センサにて検出された加速度又は水圧の検出値が予め定められた閾値を超えた場合に前記バッテリから電力が供給される、
付記１〜付記７のいずれか一項に記載の発信器取付装置。
（付記９）
水中において前記首輪と該首輪の中心軸方向に対向して配置される疑似餌を備えた、
付記１〜付記８のいずれか一項に記載の発信器取付装置。
（付記１０）
前記疑似餌は、プラスチック製の魚の模型である、
付記９に記載の発信器取付装置。
（付記１１）
前記発信ユニットには、草を用いた偽装が施されている、
付記１〜付記１０のいずれか一項に記載の発信器取付装置。
（付記１２）
前記偽装は、プラスチック製とされている、
付記１１に記載の発信器取付装置。
（付記１３）
前記発信ユニットは、川底の色と同系色とされている、
付記１〜付記１２のいずれか一項に記載の発信器取付装置。
（付記１４）
前記発信ユニットの装着対象が川鵜である、
付記１〜付記１３のいずれか一項に記載の発信器取付装置。
（付記１５）
前記発信器取付装置を複数と、
複数の前記発信器取付装置における各々の前記発信器から発信された信号を受信する受信センタと、
を備えた水鳥情報収集システム。
【符号の説明】
【００９３】
１０，４０，５０，６０，７０，８０，９０  発信器取付装置
１２  発信ユニット
１４  紐
１６  接続部材
１８  首輪
２０  発信器
２２  ワイヤ
２４  浮力材
２６  発信器本体
２８  浮力材
３２  固定対象物
３４  水面
３６  川鵜
５４  スリット
６２  バッテリ
６４  発信回路
６６  センサ
６８  リレー
７２  疑似餌
８２  偽装
１００  着脱機構
１０２  回動部材
１０４，１０６  バネ
１０８  可動部材
１１８  電磁石（アクチュエータの一例）
１２０  水鳥情報収集システム
１２２  基地局
１２４  受信センタ
【図１】
2014030394.tif 000003
【図２】
2014030394.tif 000004
【図３】
2014030394.tif 000005
【図４】
2014030394.tif 000006
【図５】
2014030394.tif 000007
【図６】
2014030394.tif 000008
【図７】
2014030394.tif 000009
【図８】
2014030394.tif 000010
【図９】
2014030394.tif 000011
【図１０】
2014030394.tif 000012
【図１１】
2014030394.tif 000013
【図１２】
2014030394.tif 000014
【図１３】
2014030394.tif 000015
【図１４】
2014030394.tif 000016
【図１５】
2014030394.tif 000017
【図１６】
2014030394.tif 000018
【図１７】
2014030394.tif 000019
【図１８】
2014030394.tif 000020
【図１９】
2014030394.tif 000021